(57)【要約】【課題】ユーザにとっての利便性を高めることを可能にする、電源装置の状態の取得の方法および装置を提供する。【解決手段】電源装置１００は、その内部または周囲の状態を表示する表示部を有する。状態取得装置２００による状態取得方法は、少なくとも表示部を含む電源装置１００の画像をカメラにより取得するステップと、画像を処理回路により解析して、表示部の表示状態を認識するステップと、処理回路が、表示部の表示状態と電源装置の状態との間の予め定められた関係に基づいて、電源装置１００の状態に関する情報を取得するステップとを備える。【選択図】図１
2020025397.tif 000002
【特許請求の範囲】
【請求項１】
電源装置の状態取得方法であって、前記電源装置は、その内部または周囲の状態を表示する表示部を有し、前記状態取得方法は、
少なくとも前記表示部を含む前記電源装置の画像をカメラにより取得するステップと、
前記画像を処理回路により解析して、前記表示部の表示状態を認識するステップと、
前記処理回路が、前記表示部の前記表示状態と前記電源装置の前記状態との間の予め定められた関係に基づいて、前記電源装置の前記状態に関する情報を取得するステップとを備える、電源装置の状態取得方法。
【請求項２】
前記表示部は、点灯回路を含み、
前記予め定められた関係は、前記点灯回路の点灯状態と前記電源装置の前記状態との間の関係である、請求項１に記載の電源装置の状態取得方法。
【請求項３】
前記点灯回路は、前記電源装置の寿命の残量を表示し、
前記情報を取得するステップは、前記寿命の前記残量を取得するステップを含み、
前記状態取得方法は、
取得した前記寿命の前記残量を、前記寿命の前記残量を取得した時間と関連付けて記憶装置に記憶させるステップと、
前記記憶装置に記憶された複数の前記寿命の前記残量の情報から、前記処理回路により、前記電源装置の残寿命を推定するステップとをさらに備える、請求項２に記載の電源装置の状態取得方法。
【請求項４】
前記電源装置は、前記電源装置を識別するための識別情報を含み、
前記識別情報を前記処理回路により認識して、前記電源装置の前記状態に関する前記情報を前記識別情報と関連付けるステップをさらに備える、請求項１から請求項３のいずれか１項に記載の電源装置の状態取得方法。
【請求項５】
取得された前記情報に基づいて、前記処理回路により、前記電源装置が正常および異常のいずれであるかを判定するステップと、
前記電源装置が異常であると判定された場合に、前記電源装置に対する処置を表すメッセージを表示装置に表示させるステップとをさらに備える、請求項１から請求項４のいずれか１項に記載の電源装置の状態取得方法。
【請求項６】
電源装置の状態取得装置であって、前記電源装置は、その内部または周囲の状態を表示する表示部を有し、前記状態取得装置は、
カメラと、
前記カメラが取得した画像を解析する処理回路とを備え、
前記処理回路は、前記カメラが取得した前記画像が、少なくとも前記表示部を含む前記電源装置の画像である場合に、前記表示部の表示状態を認識して、認識された前記表示状態と前記電源装置の前記状態との予め定められた関係に基づいて、前記電源装置の前記状態に関する情報を取得する、電源装置の状態取得装置。
【請求項７】
前記表示部は、点灯回路を含み、
前記予め定められた関係は、前記点灯回路の前記点灯状態と前記電源装置の前記状態との間の関係である、請求項６に記載の電源装置の状態取得装置。
【請求項８】
前記点灯回路は、前記電源装置の寿命の残量を表示し、
前記状態取得装置は、記憶回路をさらに備え、
前記処理回路は、前記寿命の前記残量を取得して、取得した前記寿命の前記残量を、前記寿命の前記残量を取得した時間と関連付けて前記記憶回路に記憶させ、前記記憶回路に記憶された複数の前記寿命の前記残量の情報から、前記電源装置の残寿命を推定する、請求項７に記載の電源装置の状態取得装置。
【請求項９】
前記電源装置は、前記電源装置を識別するための識別情報を含み、
前記処理回路は、前記識別情報を認識して、前記電源装置の前記状態に関する前記情報を前記識別情報と関連付ける、請求項６から請求項８のいずれか１項に記載の電源装置の状態取得装置。
【請求項１０】
前記状態取得装置は、
表示回路をさらに備え、
前記処理回路は、取得された前記情報に基づいて前記電源装置が正常および異常のいずれであるかを判定し、
前記電源装置が異常であると判定された場合に、前記処理回路は、前記電源装置に対する処置を表すメッセージを前記表示回路に表示させる、請求項６から請求項９のいずれか１項に記載の電源装置の状態取得装置。
【発明の詳細な説明】
【技術分野】
【０００１】
本発明は、電源装置の状態取得方法および電源装置の状態取得装置に関する。
【背景技術】
【０００２】
近年、電子機器の取扱に関する説明を電子データの形態で提供することが提案されている。たとえば特開２００７−２０００９４号公報（特許文献１）は、電子機器の操作を解説した電子マニュアルをユーザが調べる際に、該当のページにたどり着くまでのユーザの負担を軽減するための技術を提案する。
【先行技術文献】
【特許文献】
【０００３】
【特許文献１】特開２００７−２０００９４号公報
【発明の概要】
【発明が解決しようとする課題】
【０００４】
近年の多くの電子機器では、その内部あるいは周辺の状態をモニタ、ＬＥＤ等による表示によってユーザに通知するように構成されている。それらの表示によって表される電子機器の状態をユーザが理解するためにマニュアルを参照することは、ユーザにとって負担となる。
【０００５】
したがって本発明の目的は、ユーザにとっての利便性を高めることを可能にする、電源装置の状態の取得の方法および装置を提供することである。
【課題を解決するための手段】
【０００６】
本開示の一例は、電源装置の状態取得方法である。電源装置は、その内部または周囲の状態を表示する表示部を有する。状態取得方法は、少なくとも表示部を含む電源装置の画像をカメラにより取得するステップと、画像を処理回路により解析して、表示部の表示状態を認識するステップと、処理回路が、表示部の表示状態と電源装置の状態との間の予め定められた関係に基づいて、電源装置の状態に関する情報を取得するステップとを備える。
【０００７】
上記によれば、ユーザは、電源装置の画像を取得するための操作により、電源装置の状態を把握することができる。したがって、ユーザにとっての利便性を高めることができる。
【０００８】
好ましくは、表示部は、点灯回路を含む。予め定められた関係は、点灯回路の点灯状態と電源装置の状態との間の関係である。
【０００９】
上記によれば、電源装置は、その状態を点灯回路の点灯状態により示す。点灯回路の点灯状態を解析することにより、電源装置の状態を取得することができる。
【００１０】
好ましくは、点灯回路は、電源装置の寿命の残量を表示する。情報を取得するステップは、寿命の残量を取得するステップを含む。状態取得方法は、取得した寿命の残量を、寿命の残量を取得した時間と関連付けて記憶装置に記憶させるステップと、記憶装置に記憶された複数の寿命の残量の情報から、処理回路により、電源装置の残寿命を推定するステップとをさらに備える。
【００１１】
上記によれば、電源装置の寿命の残量を複数回取得することにより、電源装置の残寿命を推定することができる。
【００１２】
好ましくは、電源装置は、電源装置を識別するための識別情報を含む。状態取得方法は、識別情報を処理回路により認識して、電源装置の状態に関する情報を識別情報と関連付けるステップをさらに備える。
【００１３】
上記によれば、たとえば、複数の電源装置の各々の状態を取得する場合に、電源装置ごとに情報を管理することができる。
【００１４】
好ましくは、状態取得方法は、取得された情報に基づいて、処理回路により、電源装置が正常および異常のいずれであるかを判定するステップと、電源装置が異常であると判定された場合に、電源装置に対する処置を表すメッセージを表示回路に表示させるステップとをさらに備える。
【００１５】
上記によれば、ユーザに電源装置の処置のためのアクションを示すことができるので、たとえばユーザがマニュアルを参照する手間を減らすことができる。したがってユーザにとっての利便性を高めることができる。
【００１６】
本開示の一例は、電源装置の状態取得装置である。電源装置は、その内部または周囲の状態を表示する表示部を有する。状態取得装置は、カメラと、カメラが取得した画像を解析する処理回路とを備える。処理回路は、カメラが取得した画像が、少なくとも表示部を含む電源装置の画像である場合に、表示部の表示状態を認識して、認識された表示状態と電源装置の状態との予め定められた関係に基づいて、電源装置の状態に関する情報を取得する。
【００１７】
上記によれば、ユーザは、電源装置の画像を取得するようカメラを動作させることにより、電源装置の状態を把握することができる。したがって、ユーザにとっての利便性を高めることができる。
【００１８】
好ましくは、表示部は、点灯回路を含む。予め定められた関係は、点灯回路の点灯状態と電源装置の状態との間の関係である。
【００１９】
上記によれば、状態取得装置は、電源装置の点灯回路の点灯状態を解析することによって電源装置の状態を取得することができる。
【００２０】
好ましくは、点灯回路は、電源装置の寿命の残量を表示する。状態取得装置は、記憶回路をさらに備える。処理回路は、寿命の残量を取得して、取得した寿命の残量を、寿命の残量を取得した時間と関連付けて記憶回路に記憶させ、記憶回路に記憶された複数の寿命の残量の情報から、電源装置の残寿命を推定する。
【００２１】
上記によれば、状態取得装置は、電源装置の寿命の残量を複数回取得することにより、電源装置の残寿命を推定することができる。
【００２２】
好ましくは、電源装置は、電源装置を識別するための識別情報を含む。処理回路は、識別情報を認識して、電源装置の状態に関する情報を識別情報と関連付ける。
【００２３】
上記によれば、たとえば、複数の電源装置の各々の状態を取得する場合に、電源装置ごとに情報を管理することができる。
【００２４】
好ましくは、状態取得装置は、表示回路をさらに備える。処理回路は、取得された情報に基づいて電源装置が正常および異常のいずれであるかを判定する。電源装置が異常であると判定された場合に、処理回路は、電源装置に対する処置を表すメッセージを表示回路に表示させる。
【００２５】
上記によれば、ユーザに電源装置の処置のためのアクションを示すことができるので、たとえばユーザがマニュアルを参照する手間を減らすことができる。したがってユーザにとっての利便性を高めることができる。
【発明の効果】
【００２６】
本発明によれば、ユーザにとっての利便性を高めることを可能にする、電源装置の状態の取得の方法および装置を提供することができる。
【図面の簡単な説明】
【００２７】
【図１】本実施の形態に係る、電源装置の状態取得装置が適用されるシステムの構成図である。
【図２】電源装置の適用例を説明する模式図である。
【図３】電源装置の外観の一例を模式的に示す図である。
【図４】本実施の形態に係る電源装置の一構成例を示したブロック図である。
【図５】状態取得装置の構成例を示したブロック図である。
【図６】状態取得装置による電源装置の状態取得の方法を説明するフローチャートである。
【図７】寿命残量の変化を模式的に示した図である。
【図８】寿命残量の推定の処理のフローを示したフローチャートである。
【図９】診断結果が正常であった場合の状態取得装置の表示例を示した図である。
【図１０】診断結果に異常があった場合の状態取得装置の表示例を示した図である。
【図１１】ユーザの取るべきアクションの第１の例を示す状態取得装置の表示例である。
【図１２】ユーザの取るべきアクションの第２の例を示す状態取得装置の表示例である。
【図１３】ユーザの取るべきアクションの第３の例を示す状態取得装置の表示例である。
【図１４】状態取得装置による情報の保存方法の他の例を示した模式図である。
【発明を実施するための形態】
【００２８】
以下において、本実施の形態について図面を参照して詳しく説明する。なお、図中同一符号は同一または相当部分を示す。
【００２９】
＜適用例＞
まず、図１を用いて、本発明が適用される場面の一例について説明する。図１は、本実施の形態に係る、電源装置の状態取得装置２００が適用されるシステムの構成図である。図１に示すように、システムは、電源装置１００と、電源装置１００の状態を取得する状態取得装置２００とを含む。状態取得装置２００は、たとえばスマートフォンにより実現される。
【００３０】
電源装置１００は、状態取得装置２００によりその状態が取得される電子機器である。電源装置１００の前面には、電源装置１００の状態を表示するための表示回路が配置される。表示回路はＬＥＤを含む。
【００３１】
さらに電源装置１００の前面には、製品識別情報を表すコード（たとえば、バーコード、あるいはＱＲコード（登録商標）のような二次元コードなど）も配置される。状態取得装置２００は、電源装置１００を撮影して、表示回路を含む電源装置１００の画像を取得する。状態取得装置２００は、電源装置１００の画像を解析して、ランプが点灯しているかどうかを認識する。さらに、状態取得装置２００は、電源装置１００の前面に配置されたコードを読み取ることにより、電源装置１００の製品識別情報を取得する。状態取得装置２００は、状態取得装置２００により認識された、ランプの状態（点灯、点滅または消灯のいずれか）と、電源装置１００の状態との間の予め定められた関係に基づいて、電源装置１００の状態を取得する。状態取得装置２００は、電源装置１００の状態に関する情報を製品識別情報と関連付ける。電源装置１００の状態に関する情報および製品識別情報は状態取得装置２００の内部に保存される。
【００３２】
図２は、電源装置１００の適用例を説明する模式図である。電源装置１００は、たとえば生産現場内の制御盤３００に設置される。制御盤３００の内部には、複数の電源装置（電源装置１００，１００Ａ，１００Ｂ，１００Ｃが例示される）が配置される。
【００３３】
制御盤３００内の複数の電源装置の各々の状態を確認して紙に記録する場合、電源装置の数が多いほど、確認者にとって確認および記録の作業が負担になる。本実施の形態によれば、確認者は、各々の電源装置の画像を取得するだけでよい。状態取得装置２００は、各々の電源装置の状態を取得するとともに、その状態に関する情報を保存することができる。したがって確認者にとって、電源装置の状態を確認および記録するための負担を軽減することができる。
【００３４】
さらに、時間の間隔を設けて状態取得装置２００により各々の電源装置１００の状態を確認することもできる。これにより、確認者は、各々の電源装置の状態の経過を観察することができる。
【００３５】
図３は、電源装置１００の外観の一例を模式的に示す図である。図３に示すように、電源装置１００では、ＩＮＰＵＴの端子、ＤＣ−ＯＵＴＰＵＴの端子を設けた面に、表示回路８１ａ〜８１ｆ、表示切替／リセットキー８２、通信ポート８３、出力電圧調整トリマ８４および二次元コード８５が配置される。なお、図３に示した配置は一例である。
【００３６】
表示回路８１ａは、ＬＥＤ７１〜７４を含み、複数のＬＥＤのうち点灯するＬＥＤの個数を変化させることができる。代わりに表示回路８１ａは、発光色を異ならせることができるＬＥＤを含んでもよい。
【００３７】
ＬＥＤ７１〜７４は、電源装置１００に関する状態を表示する。たとえば、「電源装置１００に関する状態」とは、電源装置１００の周囲温度、電源装置１００の出力電流、電源装置１００の出力電圧、電源装置１００の残寿命（寿命の残量）、電源装置１００の稼働時間を含むことができる。一実施形態では、表示回路８１ａは、これらの状態を、固有の点滅パターンに従ってＬＥＤを点滅させることによって状態取得装置に伝達する。
【００３８】
表示回路８１ｂ，８１ｃ，８１ｄの各々も、ＬＥＤを有する。表示回路８１ｂ，８１ｃ，８１ｄの各々も電源装置１００に関する状態を表示することができる。たとえば電源装置１００の電源部に入力電圧が正常に入力される場合に、表示回路８１ｄのＬＥＤが点灯する。電源装置１００から直流電圧が出力されている場合、表示回路８１ｂのＬＥＤが点灯する。一方、電源装置１００の内部に異常が発生した場合には、表示回路８１ｃのＬＥＤが点灯する。表示回路８１ｅおよび表示回路８１ｆは、ＬＥＤを含む。当該ＬＥＤが点灯することにより、通信ポート８３での通信状況が示される。上記の各表示回路のＬＥＤは、本実施の形態に係る状態取得装置に含まれる「点灯回路」に相当する。
【００３９】
表示切替／リセットキー８２は、表示するパラメータを切り替えるために操作される。あるいは、表示切替／リセットキー８２は、通信設定のリセットのために操作される。出力電圧調整トリマ８４は、出力電圧を調整するために操作される。
【００４０】
二次元コード８５は、製品識別情報を表すコードである。複数の電源装置１００（図２を参照）から各電源装置を一意に識別することができる情報であれば製品識別情報の種類は特に限定されない。たとえば製品のシリアルナンバーを製品識別情報として用いてもよい。
【００４１】
＜電源装置の構成例＞
図４は、本実施の形態に係る電源装置１００の一構成例を示したブロック図である。図４に示すように、電源装置１００は、外部からの入力電圧を受ける入力部１０と、電源部２０と、出力部３０とを含む。
【００４２】
たとえば入力部１０は、図示しない交流電源（たとえば、５０Ｈｚ／６０Ｈｚ、１００Ｖ／２００Ｖの商用電源）に接続される。入力部１０は、入力端子１４，１５（「ＩＮＰＵＴ」とも表記する）と、入力端子１４に接続された保護回路であるフューズ１１と、保護接地端子１６とを含む。
【００４３】
電源部２０は、入力部１０を通して入力された電圧から電源電圧を発生させる。一例として、電源部２０は、整流回路２１と、トランス２２と、スイッチング素子としてのＭＯＳＦＥＴ２３と、整流・平滑回路２４とを含む。さらに、電源部２０は、突入電流制限回路２５と、ノイズフィルタ２６と、平滑回路２７と、ドライブ制御回路２８と、過電流検出回路２９と、電圧検出回路４１と、過電圧検出回路４２と、フォトカプラ４３と、フォトカプラ４４と、コンデンサ４５，４６とを含む。
【００４４】
突入電流制限回路２５は、例えば、抵抗と、この抵抗に並列に挿入されたリレーとから構成される。起動時から数十ミリ秒の間、リレーが開いて突入電流を防止する。その後に、リレーが閉じて電源装置１００が起動される。
【００４５】
ノイズフィルタ２６は、ＩＮＰＵＴに入力された交流電圧に重畳した高周波のノイズ成分に対してフィルタリングを施し、ノイズ成分を除去した交流電圧を整流回路２１に供給する。平滑回路２７は、平滑コンデンサで構成され、全波整流後の電圧を平滑化する。
【００４６】
トランス２２は、一次巻線２２ｐ、二次巻線２２ｓおよび補助巻線２２ａを備え、一次巻線２２ｐに発生した高周波のパルス電圧を、二次巻線２２ｓおよび補助巻線２２ａに誘導する。二次巻線２２ｓに誘導された高周波のパルス電圧は、直流出力に利用される。補助巻線２２ａに誘導された高周波のパルス電圧は、ドライブ制御回路２８の起動に利用される。
【００４７】
整流・平滑回路２４は、整流回路および平滑コンデンサで構成され、トランス２２の二次巻線２２ｓに誘導された高周波のパルス電源（交流電源）を整流および平滑して、規定の出力電圧および出力電流を有する直流出力を発生させる。
【００４８】
電圧検出回路４１は、直流出力電源の出力電圧を、対応した降圧電圧で検出する。フォトカプラ４３は、検出された降圧電圧に応じた信号をドライブ制御回路２８に出力する。過電圧検出回路４２は、直流出力電源の出力電圧が、規定の電圧を超える場合に、過電圧を検出する。フォトカプラ４４は、過電圧の検出を示す信号をドライブ制御回路２８に出力する。
【００４９】
ドライブ制御回路２８は、ＰＷＭ（Pulse Width Modulation）信号発生器、フィードバック制御回路、ＯＣＰ（Over Current Protect）端子、スイッチング駆動端子、駆動電源端子などを備えた制御ＩＣで構成される。ドライブ制御回路２８は、ＰＷＭ信号をＭＯＳＦＥＴ２３のゲートに供給してＭＯＳＦＥＴ２３を駆動する。
【００５０】
電圧検出回路４１で検出された二次側の電圧は、フォトカプラ４３を介して、ドライブ制御回路２８に帰還される。ドライブ制御回路２８は、当該電圧に基づいてＰＷＭ信号のデューティ比を変更し、出力電圧である電源電圧が規定の電圧となるようにＭＯＳＦＥＴ２３を駆動する。
【００５１】
ＭＯＳＦＥＴ２３は、トランス２２の一次巻線２２ｐと直列に接続される。ＭＯＳＦＥＴ２３は、ドライブ制御回路２８から供給されたＰＷＭ信号に応答して一次側電圧を断続して、トランス２２の一次巻線２２ｐに高周波のパルス電源を発生させる。
【００５２】
出力部３０は、出力端子３２，３３を含む。電源部２０で発生した電源電圧は、出力端子３２，３３（「ＤＣ  ＯＵＴＰＵＴ」とも表記する）から出力される。なお、図４に示された構成では、電源電圧として直流電圧が出力される。
【００５３】
電源装置１００は、さらに、表示回路１２を含む。表示回路１２は図３に示す表示回路８１ａ〜８１ｆを含む。表示回路１２は、たとえば電圧検出回路４１、過電圧検出回路４２、過電流検出回路２９の各々からの信号に応答して、対応のＬＥＤを点灯、消灯あるいは点滅させる。
【００５４】
＜状態取得装置の構成例＞
図５は、状態取得装置２００の構成例を示したブロック図である。状態取得装置２００は、カメラを有する情報通信端末である。情報通信端末は、電源装置１００の状態を取得するためのアプリケーションプログラムを実行することにより、状態取得装置２００として実現される。
【００５５】
状態取得装置２００は、たとえばスマートフォンによって実現可能である。ただし状態取得装置２００は、タブレット、ノートＰＣなど、他の情報端末によっても実行可能である。
【００５６】
状態取得装置２００は、コントローラ２０１と、通信ユニット２０２と、スピーカ２０３と、カメラ２０４と、センサ２０５と、表示ユニット２０６と、ストレージ２０７とを含む。コントローラ２０１は、状態取得装置２００の全体を制御する。さらに、コントローラ２０１は、電源装置１００の状態を取得するためのアプリケーションプログラムを実行する。コントローラ２０１は、本実施の形態に係る状態取得装置における処理回路に対応する。
【００５７】
通信ユニット２０２は、状態取得装置２００を通信ネットワークに通信可能に接続するための回路である。スピーカ２０３は、コントローラ２０１の制御により音声を出力する。カメラ２０４は、電源装置１００を撮像する。
【００５８】
表示ユニット２０６は、タッチスクリーン２１１とディスプレイ２１２とを含む。タッチスクリーン２１１は、状態取得装置２００の操作のための入力をユーザから受け付ける入力部である。ディスプレイ２１２は、カメラ２０４により撮像された電源装置１００の画像を表示するとともに、コントローラ２０１による各種の処理の結果を表示する。ディスプレイ２１２は、本実施の形態に係る状態取得装置における表示回路に対応する。
【００５９】
ストレージ２０７は、本実施の形態に係る状態取得装置における記憶回路に対応する。ストレージ２０７は、電源装置１００の状態を取得するためのアプリケーションプログラムおよび各種のデータを保存する。ストレージ２０７に記憶された情報はコントローラ２０１により読み出されてコントローラ２０１による処理に利用される。電源装置１００の状態に関する情報と製品識別情報とは互いに関連付けられてストレージ２０７に記憶される。ストレージ２０７は、さらに、コントローラ２０１による処理の結果を記憶する。
【００６０】
図６は、状態取得装置２００による電源装置１００の状態取得の方法を説明するフローチャートである。ステップＳ１において、ユーザが状態取得装置２００を操作することにより、電源装置１００の状態を取得するためのアプリケーションプログラムが、コントローラ２０１によってストレージ２０７から読み出される。コントローラ２０１は、当該アプリケーションを起動する。
【００６１】
ステップＳ２において、ユーザの操作により、カメラ２０４が、電源装置１００の画像を取得する。このとき、カメラ２０４は、ユーザの操作により、電源装置１００の表示回路８１ａ〜８１ｆ（図３を参照）を含む電源装置１００の画像を取得する。
【００６２】
ステップＳ３において、コントローラ２０１は、カメラ２０４により撮像された画像を解析する。ステップＳ４において、コントローラ２０１は、たとえば、解析された画像から電源装置１００の状態に関する情報を取得する。具体的には、コントローラ２０１は、電源装置１００の画像を解析して、表示回路８１ａ〜８１ｄの各々に含まれるＬＥＤの点灯状態を認識する。コントローラ２０１は、各表示回路のＬＥＤが、点灯および消灯のいずれであるかを認識する。なお、カメラ２０４が所定の時間間隔で画像を撮像することにより、複数の画像が取得されてもよい。この場合、コントローラ２０１は、各表示回路のＬＥＤの状態が点灯、消灯および点滅のいずれの状態であるかを認識することができる。
【００６３】
表示回路８１ａ〜８１ｄの表示状態（ＬＥＤの点灯、消灯または点滅）は電源装置１００の状態を表す。ストレージ２０７は、表示回路８１ａ〜８１ｄの表示状態と電源装置１００の状態との間の予め定められた関係に関する情報を記憶する。コントローラ２０１は、その予め定められた関係に関する情報と、各表示回路のＬＥＤの状態とに基づいて、電源装置１００の状態を取得する。なお、画像解析および情報の抽出には種々の公知の方法を適用することができる。
【００６４】
ステップＳ５において、コントローラ２０１は、取得された情報に基づいて、電源装置１００の状態の診断を実行する。しかしながらステップＳ５の処理は省略されてもよい。ステップＳ６において、コントローラ２０１は、電源装置１００の状態に関する情報をストレージ２０７に保存する。このとき、コントローラ２０１は、二次元コード８５を読み取ることにより、電源装置１００の識別情報を認識するとともに、電源装置１００の状態に関する情報と識別情報とを関連付ける。さらにコントローラ２０１は、電源装置１００の状態に関する情報を電源装置１００の識別情報と関連付けてストレージ２０７に保存する。ステップＳ５において電源装置１００の状態の診断が実行された場合、コントローラ２０１は、その診断の結果をストレージ２０７に保存する。
【００６５】
＜状態取得機能の例＞
以下に、状態取得装置２００の状態取得機能および診断機能のいくつかの具体例を示す。第１の例は、電源装置１００の表示回路８１ａに表示された情報を取得する機能である。表示回路８１ａは、これらの状態を、固有の点滅パターンに従ってＬＥＤ７１〜７４の少なくとも１つを点滅させることによって状態取得装置２００に伝達することができる。点滅間隔あるいは、予め決められた点滅方式により、表示回路８１ａは、電源装置１００の状態を表示することができる。
【００６６】
表示回路８１ａは、温度の情報をＬＥＤ７１〜７４により表示することができる。「温度の情報」は電源装置１００の内部の温度の情報でもよく、電源装置１００の周囲温度の情報でもよい。電源装置１００は、電源装置１００の出力電力量を把握しているので、自己発熱の量を把握することができる。したがって、電源装置１００は、周囲温度を予測することができる。
【００６７】
第２の例は、電源装置１００の寿命残量を取得する機能である。表示回路８１ａは、寿命残量をＬＥＤ７１〜７４により表示することができる。状態取得装置２００は、電源装置１００を撮像することにより、寿命残量に関する情報を取得する。このときに状態取得装置２００は、寿命残量と、その寿命残量を取得した時刻とを関連付ける。そして状態取得装置２００のコントローラ２０１は、その寿命残量および取得時刻をストレージ２０７に記憶させる。
【００６８】
寿命残量の情報が複数回取得される。ストレージ２０７は、複数の寿命残量の情報を記憶する。コントローラ２０１は、ストレージ２０７に記憶された寿命残量の情報を読み出して、その読み出された情報に基づいて、電源装置１００の残寿命を推定する。
【００６９】
図７は、寿命残量の変化を模式的に示した図である。図８は、寿命残量の推定の処理のフローを示したフローチャートである。なお、図８に示すフローは、たとえばステップＳ５（図６参照）において実行され得る。図７および図８に示すように、コントローラ２０１は、複数の寿命残量の値をストレージ２０７から読み出す（ステップＳ５１）。コントローラ２０１は、複数の寿命残量の値に線形近似を適用して、時間に対する寿命残量の割合（直線の傾き）を求める（ステップＳ５２）。この直線の傾きから、コントローラ２０１は電源装置１００の残寿命（電源装置１００が寿命に達するまでの残り時間）を求める（ステップＳ５３）。そしてコントローラ２０１は、表示ユニット２０６に残寿命を表示する（ステップＳ５４）。
【００７０】
第３の例は、電源装置１００が正常かどうかを診断する機能である。状態取得装置２００は、表示回路８１ａ〜８１ｆの各々のＬＥＤの点灯状態に関する情報を取得する。その情報に基づいて、状態取得装置２００は、電源装置１００が正常であるか否かを診断する。状態取得装置２００は、その診断結果をストレージ２０７に保存するとともに表示ユニット２０６（ディスプレイ２１２）に表示する。
【００７１】
図９は、診断結果が正常であった場合の状態取得装置２００の表示例を示した図である。図９に示すように、表示ユニット２０６には「ＯＫ」というメッセージに加えて、残量寿命の値（３．５年）が表示される。
【００７２】
図１０は、診断結果に異常があった場合の状態取得装置２００の表示例を示した図である。図１０に示すように、表示ユニット２０６には「ＮＧ」というメッセージが表示されるとともに、矢印が表示される。状態取得装置２００のユーザは、矢印に従って、表示ユニット２０６を操作する。これにより、表示ユニット２０６に、状態取得装置２００に対する処置（ユーザの取るべきアクション）を表すメッセージが表示される。
【００７３】
図１１は、ユーザの取るべきアクションの第１の例を示す状態取得装置２００の表示例である。電源装置１００の出力が定格を超える場合、「電源の出力が定格を超えました」という通知とともに「負荷の確認をしてください」というメッセージが表示される。
【００７４】
図１２は、ユーザの取るべきアクションの第２の例を示す状態取得装置２００の表示例である。電源装置１００の入力電圧が低下した場合、「入力電圧が低下しました」という通知とともに「入力電圧を確認してください」というメッセージが表示される。
【００７５】
図１３は、ユーザの取るべきアクションの第３の例を示す状態取得装置２００の表示例である。電源装置１００が寿命に達した場合、あるいは電源装置１００の寿命が近づいた場合、「交換時期が来ました。」という通知とともに、「電源の交換をして下さい」というメッセージが表示される。
【００７６】
なお、上記説明においては、状態取得装置２００は、電源装置１００から取得した情報を、状態取得装置２００の内部に保存する。しかしながら、状態取得装置２００は、電源装置１００から取得した情報を、状態取得装置２００の外部のサーバに保存してもよい。図１４は、状態取得装置２００による情報の保存方法の他の例を示した模式図である。図１４に示すように、状態取得装置２００は、ネットワーク４００を通じて、サーバ５００に情報を保存してもよい。さらに状態取得装置２００は、ネットワーク４００を通じて、サーバ５００から情報を読み出してもよい。たとえばサーバ５００には、電源装置１００の交換時期までの割合の情報が保存される。状態取得装置２００は、寿命残量の推定のために、ネットワーク４００を通じてサーバ５００から、交換時期までの割合の情報と、その情報に関連付けられた時刻の情報とを読み出すことができる。
【００７７】
＜付記＞
以上のように、本実施形態は以下のような開示を含む。
【００７８】
（構成１）
電源装置（１００）の状態取得方法であって、前記電源装置（１００）は、その内部または周囲の状態を表示する表示部（８１ａ−８１ｆ）を有し、前記状態取得方法は、
少なくとも前記表示部（８１ａ−８１ｆ）を含む前記電源装置（１００）の画像をカメラ（２０４）により取得するステップ（Ｓ２）と、
前記画像を処理回路（２０１）により解析して、前記表示部（８１ａ−８１ｆ）の表示状態を認識するステップ（Ｓ３）と、
前記処理回路（２０１）が、前記表示部（８１ａ−８１ｆ）の前記表示状態と前記電源装置（１００）の前記状態との間の予め定められた関係に基づいて、前記電源装置（１００）の前記状態に関する情報を取得するステップ（Ｓ４）とを備える、電源装置（１００）の状態取得方法。
【００７９】
（構成２）
前記表示部（８１ａ−８１ｆ）は、点灯回路を含み、
前記予め定められた関係は、前記点灯回路の点灯状態と前記電源装置（１００）の前記状態との間の関係である、構成１に記載の電源装置（１００）の状態取得方法。
【００８０】
（構成３）
前記点灯回路は、前記電源装置（１００）の寿命の残量を表示し、
前記情報を取得するステップは、前記寿命の前記残量を取得するステップを含み、
前記状態取得方法は、
取得した前記寿命の前記残量を、前記寿命の前記残量を取得した時間と関連付けて記憶装置に記憶させるステップ（Ｓ６）と、
前記記憶装置に記憶された複数の前記寿命の前記残量の情報から、前記処理回路（２０１）により、前記電源装置（１００）の残寿命を推定するステップ（Ｓ５１−Ｓ５３）とをさらに備える、構成２に記載の電源装置（１００）の状態取得方法。
【００８１】
（構成４）
前記電源装置（１００）は、前記電源装置（１００）を識別するための識別情報（８５）を含み、
前記識別情報を前記処理回路（２０１）により認識して、前記電源装置（１００）の前記状態に関する前記情報を前記識別情報（８５）と関連付けるステップ（Ｓ６）をさらに備える、構成１から構成３のいずれか１項に記載の電源装置（１００）の状態取得方法。
【００８２】
（構成５）
取得された前記情報に基づいて、前記処理回路（２０１）により、前記電源装置（１００）が正常および異常のいずれであるかを判定するステップ（Ｓ５）と、
前記電源装置（１００）が異常であると判定された場合に、前記電源装置（１００）に対する処置を表すメッセージを表示回路（２０６）に表示させるステップとをさらに備える、構成１から構成４のいずれか１項に記載の電源装置（１００）の状態取得方法。
【００８３】
（構成６）
電源装置（１００）の状態取得装置であって、前記電源装置（１００）は、その内部または周囲の状態を表示する表示部（８１ａ−８１ｆ）を有し、前記状態取得装置は、
カメラ（２０４）と、
前記カメラ（２０４）が取得した画像を解析する処理回路（２０１）とを備え、
前記処理回路は、前記カメラ（２０４）が取得した前記画像が、少なくとも前記表示部（８１ａ−８１ｆ）を含む前記電源装置（１００）の画像である場合に、前記表示部（８１ａ−８１ｆ）の表示状態を認識して、認識された前記表示状態と前記電源装置（１００）の前記状態との予め定められた関係に基づいて、前記電源装置（１００）の前記状態に関する情報を取得する、電源装置（１００）の状態取得装置。
【００８４】
（構成７）
前記表示部（８１ａ−８１ｆ）は、点灯回路を含み、
前記予め定められた関係は、前記点灯回路の点灯状態と前記電源装置（１００）の前記状態との間の関係である、構成６に記載の電源装置（１００）の状態取得装置。
【００８５】
（構成８）
前記点灯回路は、前記電源装置（１００）の寿命の残量を表示し、
前記状態取得装置は、記憶回路（２０７）をさらに備え、
前記処理回路（２０１）は、前記寿命の前記残量を取得して、取得した前記寿命の前記残量を、前記寿命の前記残量を取得した時間と関連付けて前記記憶回路（２０７）に記憶させ、前記記憶回路（２０７）に記憶された複数の前記寿命の前記残量の情報から、前記電源装置（１００）の残寿命を推定する、構成７に記載の電源装置（１００）の状態取得装置。
【００８６】
（構成９）
前記電源装置（１００）は、前記電源装置（１００）を識別するための識別情報（８５）を含み、
前記処理回路は、前記識別情報（８５）を認識して、前記電源装置（１００）の前記状態に関する前記情報を前記識別情報（８５）と関連付ける、構成６から構成８のいずれか１項に記載の電源装置（１００）の状態取得装置。
【００８７】
（構成１０）
前記状態取得装置は、
表示回路（２０６）をさらに備え、
前記処理回路（２０１）は、取得された前記情報に基づいて前記電源装置（１００）が正常および異常のいずれであるかを判定し、
前記電源装置（１００）が異常であると判定された場合に、前記処理回路（２０１）は、前記電源装置（１００）に対する処置を表すメッセージを前記表示回路（２０６）に表示させる、構成６から構成９のいずれか１項に記載の電源装置（１００）の状態取得装置。
【００８８】
さらに、本実施形態は以下のような開示を含む。
（構成１１）
電源装置（１００）であって、
外部からの入力電圧を受ける入力部（１０）と、
前記入力部（１０）を通して入力された前記入力電圧から電源電圧を発生させる電源部（２０）と、
前記電源電圧を出力する出力部（３０）と、
前記電源装置（１００）の状態を表示する表示回路（１２）とを備え、
前記表示回路（１２）は、点灯回路を含み、
前記点灯回路は、前記電源装置（１００）の状態に応じたパターンで点灯する、電源装置（１００）。
【００８９】
（構成１２）
電源装置（１００）を備え、前記電源装置（１００）は、その内部または周囲の状態を表示する表示部（８１ａ−８１ｆ）を有し、
前記電源装置（１００）の状態を取得する状態取得装置をさらに備え、前記状態取得装置は、
カメラ（２０４）と、
前記カメラ（２０４）が取得した画像を解析する処理回路（２０１）とを備え、
前記処理回路は、前記カメラ（２０４）が取得した前記画像が、少なくとも前記表示部（８１ａ−８１ｆ）を含む前記電源装置（１００）の画像である場合に、前記表示部（８１ａ−８１ｆ）に関する特徴を前記画像から抽出して、抽出された前記特徴と前記電源装置（１００）の前記状態との予め定められた関係に基づいて、前記電源装置（１００）の前記状態に関する情報を取得する、システム。
【００９０】
本発明の実施の形態について説明したが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【符号の説明】
【００９１】
１０  入力部、１１  フューズ、１２，８１ａ〜８１ｆ  表示回路、１４，１５  入力端子、１６  保護接地端子、２０  電源部、２１  整流回路、２２  トランス、２２ａ  補助巻線、２２ｐ  一次巻線、２２ｓ  二次巻線、２３  ＭＯＳＦＥＴ、２４，２７  平滑回路、２５  突入電流制限回路、２６  ノイズフィルタ、２８  ドライブ制御回路、２９  過電流検出回路、３０  出力部、３２，３３  出力端子、４１  電圧検出回路、４２  過電圧検出回路、４３，４４  フォトカプラ、４５，４６  コンデンサ、８２  表示切替／リセットキー、８３  通信ポート、８４  出力電圧調整トリマ、８５  二次元コード、１００，１００Ａ〜１００Ｃ  電源装置、２００  状態取得装置、２０１  コントローラ、２０２  通信ユニット、２０３  スピーカ、２０４  カメラ、２０５  センサ、２０６  表示ユニット、２０７  ストレージ、２１１  タッチスクリーン、２１２  ディスプレイ、３００  制御盤、４００  ネットワーク、５００  サーバ、Ｓ１〜Ｓ６，Ｓ５１〜Ｓ５４  ステップ。
【図１】
2020025397.tif 000003
【図２】
2020025397.tif 000004
【図３】
2020025397.tif 000005
【図４】
2020025397.tif 000006
【図５】
2020025397.tif 000007
【図６】
2020025397.tif 000008
【図７】
2020025397.tif 000009
【図８】
2020025397.tif 000010
【図９】
2020025397.tif 000011
【図１０】
2020025397.tif 000012
【図１１】
2020025397.tif 000013
【図１２】
2020025397.tif 000014
【図１３】
2020025397.tif 000015
【図１４】
2020025397.tif 000016